Podtech/llm-jp-corpus-v4-ja_patent huggingface dataset:
(57)【要約】      （修正有）【課題】書画を裏打ちをすることなく、観賞用作品に仕上げる。【解決手段】プラスチックフイルム２と書画用の紙４を貼合したことを特徴とする、書画用フイルム紙１。接着剤、粘着材、両面粘着シートのいずれかを貼合材３に用いて貼合する。プラスチックフィルム２が透明又は半透明である該フィルム紙を用いた照明用シェード。該プラスチックフィルムは、比較的剛性のあるフィルムが適しており、通常０．０５〜０．５ｍｍの厚さのフィルムが好ましい。【選択図】図１
0003140401.tif 000002
【実用新案登録請求の範囲】
【請求項１】
プラスチックフイルム（２）と書画用の紙（４）を貼合したことを特徴とする、書画用フイルム紙（１）
【請求項２】
接着剤、粘着剤、両面粘着シートのいずれかを貼合材（３）に用いて貼合したことを特徴とする、請求項１記載のフイルム紙（１）
【請求項３】
プラスチックフイルム（２）が透明又は半透明である請求項１〜２記載のフイルム紙（１）を用いた照明用シェード（５）
【考案の詳細な説明】
【技術分野】
【０００１】本考案は、書画について裏打ちする事無く直接書いて、使用が可能なプラスチックフイルムと書画用の紙の複合材料
【背景技術】
【０００２】従来墨書は書いた作品のシワをのばす為に裏打ちの作業が必要であるが、時間と労力がかかり無駄が多い。又、裏打ち後の修正に難がある。
【考案の開示】
【考案が解決しようとする課題】
【０００３】本考案は、書画の作品を傷める事無く、作品に仕上げることを提案するものである。
【課題を解決するための手段】
【０００４】本考案はプラスチックフイルム２と書画用の紙４を貼合することにより、裏打ち作業を必要とすることなく、見栄えの良い作品を提供するものである。【０００５】具体的には接着剤、粘着剤、両面粘着シートを貼合材３に用いて、プラスチックフイルム２と書画用の紙４を貼合したことを特徴とした、書画用フイルム紙１に関するものであり、直接、墨書および絵を描くことが出来るものである。【０００６】一般に紙に書画を描いた場合、描いた書画部に乾燥によるしわが生じる。本考案はこの問題を事前に書画用の紙４をプラスチックフイルム２に貼合することにより解消し、作品を仕上げる際の裏打ち作業を不要にならしまたものである。【０００７】本考案で用いる書画用の紙４としては和紙でも洋紙でもよく、特に墨書および水彩画に適した物がよい。【０００８】本考案で用いるプラスチックフイルム２は、比較的剛性のあるフイルムが適しており、通常０．０５〜０．５ｍｍの厚さのフイルムが好ましく、照明シェード５に用いる場合には、透明又は半透明がふさわしい。【０００９】本考案で用いるプラスチックフイルム２としては、ＰＥ、ＰＰｒ、ＰＥＴなどが例示されるが、特にＰＥＴが望ましい。【００１０】本考案でのプラスチックフイルム２と紙４の貼り合わせは、接着剤、粘着剤、両面粘着シートを貼合材３に用いておこなわれ、プラスチックフイルム２及び紙４の材質を考慮して選択される。【００１１】本考案におけるフイルム紙１を用いて、製作された書画は、額に入れて作品とすることができる。【００１２】本考案におけるプラスチックフイルム２として、光透過性の透明または半透明フイルムを用いることにより、照明用シェード５として利用することができる。この場合、書画用の紙４の色とフイルム２の色、もしくはフイルム２の裏紙６に使用する、裏紙６の色を変えることにより、点灯時の背景色を効果的に演出することもできる。
【考案の効果】
【００１３】本考案は上記の様な構成で貼り合わせた複合体で、シワにならず個人の作品や、寺社の墨書、朱印などに対しても、表装がいらず、シワの発生問題もない。【００１４】本考案によるシェード５を用いた照明器具、たとえば行灯（図２）などは、書画を引き立たせる効果と、書画の隙間からの灯りによる演出による癒し効果を生み出すものである。
【考案を実施するための最良の形態】
【実施例】
【００１５】図１に本考案実施例を示す。
厚さ０．２ｍｍの透明フイルム２の片面に粘着３を施したシートに、書画用晒し和紙４を貼り合わせて、得られたフイルム紙１の表面和紙に「福」の字を墨書した例を示す。本作品は表装が不要であり、そのまま額に入れて美術品とすることができる。【００１６】又、上記実施例を、図２に示すように、鑑賞用照明器具のシェード５として用いることができる。【００１７】このように本考案を用いた照明器具は、電球の光に照らされて書画の作品を引き立たせ、枕元や、居間の癒しの空間演出に役立つとともに、図３に示すように裏紙６を併用することにより背景色を一層効果的に演出することもできる。
【図面の簡単な説明】
【図１】  本考案のフイルム紙を示す説明図
【図２】  本考案のフイルム紙を使用した照明器具の説明図
【図３】  裏紙を併用した本考案の照明用フイルム紙の説明図
【符号の説明】
【００１８】  １        フイルム紙
２        プラスチックフイルム
３        貼合材
４        書画用の紙
５        シェード
６        裏紙
７        裏紙併用フイルム紙
【図１】
0003140401.tif 000003
【図２】
0003140401.tif 000004
【図３】
0003140401.tif 000005
(57)【要約】【課題】  ゴルフのショットに際しては注意しなくてはならないチェックポイントや心得をゴルファーに知らせる。【解決手段】手甲部側領域にして、クラブを構えたアドレス時にゴルファーに視認可能な箇所にメモ片Ｍを挿入可能な透明ポケット３を設ける。【選択図】      図１
0003140459.tif 000002
【実用新案登録請求の範囲】
【請求項１】
手甲部側領域にして、クラブを構えたアドレス時にゴルファーに視認可能な箇所にメモ片を挿入可能な透明ポケットを設けたことを特徴とするゴルフ用手袋。
【請求項２】
手甲部側領域にして、親指袋から続く親指の中手骨箇所に、長手方向が中手骨の全長方向に沿うように矩形の透明ポケットを設けた請求項１記載のゴルフ用手袋。
【考案の詳細な説明】
【技術分野】
【０００１】
この考案は、ゴルフクラブを握る時に使用するゴルフ用手袋に関する。
【背景技術】
【０００２】
ゴルフのショットに際しては正しいスイングが望まれ、そのためには注意しなくてはならないチェックポイントがいくつかある。また、ゴルフはメンタルなスポーツと言われているように、スコアーアップのためには平常心が必要であり、また、緊張が極度に高まるショット時の急激な血圧の上昇による医学上の危険性も指摘されている。
【０００３】
しかしながら、一般のゴルファーは結果を焦るあまり冷静さを欠き、学習して頭では理解しているつもりのチェックポイントを実際のショット時には往々にして忘れてしまったり、平常心を忘れて徒に感情が高まる傾向が強い。
【０００４】
前記の場合、ゴルファーの中には、注意しなくてはならないチェックポイントや心得などをメモとして書き留め、備忘録として携帯する者もいる。また、これを一歩進めて、独立の備忘録ではなく、ゴルフ用具であるスコアカードや手袋などを利用して、これらにメモを設ける考案も提案されている。
【特許文献１】登録実用新案第３１１６４１６号公報
【特許文献２】実開昭６１−３６６６９号公報
【考案の開示】
【考案が解決しようとする課題】
【０００５】
注意しなくてはならないチェックポイントや心得などをメモとして書き留め、備忘録として携帯することは有用である。また、ゴルフ用具であるスコアカードや手袋などを利用して携帯すれば、わざわざ備忘録を持ち歩く必要がない。
【０００６】
しかしながら、チェックポイントや心得などを思い起こさなくてはならないのは、まさにクラブを構えたアドレス時のその瞬間である。一方、前記した従来技術においては、ゴルファーがメモを読むのはその前の準備段階であり、時間が近接しているとはいえ、一旦メモを頭の中で咀嚼・記憶してからスイングに望むことになる。そうした場合、人によっては咀嚼・記憶することに注意を奪われ、これが虚心でスイングにのぞむことの妨げとなって、却って逆効果になるおそれもある。
【課題を解決するための手段】
【０００７】
この考案は、以上の従来技術の問題点を解消したゴルフ用手袋を提供することを目的として創作されたものであり、ゴルフ用手袋の手甲部側領域にして、クラブを構えたアドレス時にゴルファーに視認可能な箇所にメモ片を挿入可能な透明ポケットを設けたことを特徴とする。
【０００８】
また、ここでは第２考案として、前記の第１考案のゴルフ用手袋において、手甲部側領域にして、親指袋から続く親指の中手骨箇所に、長手方向が中手骨の全長方向に沿うように矩形の透明ポケットを設けたゴルフ用手袋も開示する。
【考案の効果】
【０００９】
以上の構成よりなるこの考案のゴルフ用手袋によれば、クラブを構えたアドレス時のまさにその瞬間にチェックポイントや心得などを目にすることになるので、頭の中で咀嚼・記憶することなく直感的にこれらを潜在意識の中に止めることとなり、虚心でスイングにのぞむことの妨げとならず、効果的に集中力を高めたり、リラックスしたり、スコアーアップを図ることが可能となる。
【００１０】
また、アドレスのセットアップまで目線を上げないことが、良好なスイングの秘訣と言われているが、この考案の手袋によればアドレス時にクラブを構えた手袋に付された文字を読もうとすることにより、目線が自然に下にさがる効果を得ることができる。
【００１１】
、
一方、メモが挿入される透明ポケットが親指袋から続く親指の中手骨箇所に、長手方向が中手骨の全長方向に沿うように矩形に配される第２考案によれば、図３に示すように挿入されるメモの文字はクラブＣの延長方向に沿って上下に整列することとなり、アドレス時に容易に視認できるばかりでなく、文字を左右に追う必要がないのでゴルファーの頭部が不用意に左右に振れることもない。
【考案を実施するための最良の形態】
【００１２】
以下、この考案のゴルフ用手袋の具体的実施例を添付図面に基づいて説明する。図中符号Ｇは手袋であり、掌を覆う手袋本体部より５本の指袋部を延設した公知の構成よりなる。図中符号３は透明ポケットであり、ここでは手袋の表面に透明な合成樹脂板をその三方周囲を固着することにより構成される。図中符号Ｍは前記透明ポケット３に挿入されるメモ片であり、チェックポインントや心得などの任意の文字が書き込まれる。
【００１３】
この実施例においては、前記の透明ポケット３は手袋Ｇの手甲部側領域にして、親指袋１から続く親指の中手骨箇所２に、長手方向が中手骨の全長方向に沿うように矩形に配される。
【図面の簡単な説明】
【００１４】
【図１】この考案のゴルフ用手袋のメモ片の挿入前の斜視図。
【図２】同上、メモ片の挿入後の斜視図。
【図３】アドレス時のこの考案のゴルフ用手袋の斜視図。
【符号の説明】
【００１５】
Ｇ              手袋
Ｍ              メモ片
１              親指袋
２              親指の中手骨箇所
３              透明ポケット
【図１】
0003140459.tif 000003
【図２】
0003140459.tif 000004
【図３】
0003140459.tif 000005
(57)【要約】【課題】  睡眠時などで、口が開くために起因するさまざまな症状（鼾、口腔内の乾燥、よだれ、咳、くしゃみ等）に対処するために、リップカバーマスクを提供する。【解決手段】  リップカバー（１）の上部（２）、下部（３）にＬ字型の突起部を設けてマスク（４）にリップカバー（１）を設けた、リップカバーマスクを特徴とする。【選択図】図１
0003140418.tif 000002
【実用新案登録請求の範囲】
【請求項１】
（イ）リップカバー（１）の上、下に対峙する突起部の上（２）と下（３）を設ける。
（ロ）リップカバー（１）をマスク（４）に貼付する。
以上の構成よりなるリップカバーマスク。
【考案の詳細な説明】
【技術分野】
【０００１】    この考案は、口唇用に作られたマスクの内側中央にリップカバーを貼付したマスクに関するものである。
【背景技術】
【０００２】    従来、マスクは口唇と鼻を一緒に覆うものとして使われていた。
【考案の開示】
【考案が解決しようとする課題】
【０００３】    これは、次のような欠点があった。
従来、風邪の黴菌を防いだり、寒さから保護したり、ちりほこりを避ける為等に使われている。然し一方寝ている時に口が開いて口腔内が乾燥したり鼾をかいたり咳、くしゃみの飛散、よだれ等を防ぐのに、鼻に掛かる部分が煩わしく余分である。
本考案は、以上のような欠点をなくすためになされたものである。
【課題を解決するための手段】
【０００４】    リップカバー（１）の上部（２）下部（３）にＬ字型の突起部を設け、マスク（４）にリップカバー（１）を設ける。
本考案は、以上の構成よりなるリップカバーマスクである。
【考案の効果】
【０００５】    リップカバーは、マスクと結合しているので、耳にゴムひもを掛ける事で突起部が唇にフィットし易い。更にカバーとマスクで二重に保護されている。
よって唇の下落ちを押さえ口を閉じる結果、鼾を弱め口腔内が保湿され易く加えて咳やクシャミの飛散が抑制されるので、その影響効果は大変大きい。この点は従来のマスクにも関る。このリップカバーマスクは鼻からの呼吸は容易なので楽に使える。
【考案を実施するための最良の形態】
【０００６】    以下、本考案を実施するための最良の形態について説明する。
リップカバー（１）は、突起部（２）、（３）を口唇にフィットし易くするため、内側に湾曲に反らして突起部（２）、（３）が口唇を挟んで押さえ易く、唇が下落ちしない様に設ける。実施例は、カバーは少し硬めのビニールと突起部は市販のＬ型ゴムを利用している。反りを出すために、カバー中央の上下に細い穴を開けてヘアーゴムを外から内側に通して下の細い穴から外に出して絞って湾曲を作る。内側のヘアーゴムはビニールテープで貼り付けてある。反り返ったカバー（１）の内側の上下にＬ型ゴムをはりつける．このリップカバー（１）をマスク（４）の中央に貼付する。
本考案は、以上のような構造である。
これを使用する時は、リップカバーを唇に被せてからゴムひもを耳に掛ければよい。
【図面の簡単な説明】
【０００７】
【図１】    本考案の背面図である。
【図２】    本考案の正面図である。
【図３】    本考案の鳥瞰図である。
【図４】    本考案の側面図である。
【符号の説明】
【０００８】    １          リップカバー
２          上の突起部
３          下の突起部
４          マスク
５          耳掛けゴムひも
【図１】
0003140418.tif 000003
【図２】
0003140418.tif 000004
【図３】
0003140418.tif 000005
【図４】
0003140418.tif 000006
(57)【要約】      （修正有）【課題】伸縮時に於ける衝突音の解消は勿論、故障時のメンテナンスも考慮したシンプルなテレスコピックカバーの提供。【解決手段】産業機械の摺動面保護カバーでマシニング等による切粉、切削水等の飛散を防御する目的の互いにはめ込まれた複数のボックスから成るテレスコピックカバーに於いてマシンニング等の動きに連動する如く追従し、その連動時の衝撃を緩和する目的で各ボックス間に鋼管或は樹脂を躯体とする油圧・空気圧・バネ圧及びゴム弾性体又はその複合体から成る衝撃吸収機構を備えた衝撃吸収装置Ｂを有し、それらの衝撃吸収装置Ｂは、交差しかつ個々に係止点を設けた衝撃吸収装置付きテレスコピックカバーＡ。【選択図】図１
0003140414.tif 000002
【実用新案登録請求の範囲】
【請求項１】
産業機械の摺動面保護カバーでマシニング等による切粉、切削水等の飛散を防御する目的の互いにはめ込まれた複数のボックスから成るテレスコピックカバーに於いてマシンニング等の動きに連動する如く追従し、その連動時の衝撃を緩和する目的で各ボックス間に鋼管或は樹脂を躯体とする油圧・空気圧・バネ圧及びゴム弾性体又はその複合体から成る衝撃吸収機構Ｃを備えた衝撃吸収装置Ｂを有し、それらの衝撃吸収装置Ｂは、図２に示す如く交差しかつ個々に係止点Ｂ３を設けた事を特徴とする衝撃吸収装置付きテレスコピックカバーＡ。
【請求項２】
前記、請求項１に於いて、各ボックス間に設置された衝撃吸収装置Ｂについて、少なくとも両端部にそれぞれが独立した衝撃吸収機構Ｃを備え、係止点Ｂ３の両端で衝撃吸収する事を特徴とした衝撃吸収装置Ｂ。
【考案の詳細な説明】
【技術分野】
【０００１】  本考案は、主として工作機械の保護カバー、その他一般産業機械の保護カバーとして活用するものに関する。
【背景技術】
【０００２】  従来、マシニング等に使用するテレスコピックカバーＡ１は、互いにはめ込まれた複数のボックスから構成され、マシニング等の動きに追従し伸縮運動を行う。その為、それらのボックスが抜けて外れない様、ボックス先端部にはゴム弾性体又は金属或はそれらの複合からなるワイパーＷを止着し、ボックス発端部にはボックスの荷重を支える為の摺動体或は転動体を設けるプレートＰが設置されていた。テレスコピックカバー伸張過程に於いてワイパーＷとプレートＰが衝突し順次それぞれのボックスを引っ張る構造となっていた。【０００３】  その結果、衝突音及び衝撃による強度的な問題が発生していた。それらを緩和する為、一般的にはゴム弾性体等を設置し対策を講じていたが、更なる工作機械の高速化に対応するため、連鎖装置としてパンタグラフなるものが考案された。
実用新案番号  第３０４７８８３号及び第３０４９６８８号を本出願者は考案している。【０００４】  しかしながら、大型テレスコピックカバー等では、伸張時１０ｍを超える場合もあり、パンタグラフの重量・パンタグラフの負荷等を考慮した場合、組立も含め、多くの問題を有していた。
【考案の開示】
【考案が解決しようとする課題】
【０００５】  工作機械及びその他一般産業用機械は、近年大型化すると共に高速化し、時代ニーズに対応すべく大型かつ高速対応型はもとより低騒音で故障時の交換が容易な保護カバーの開発が必要であった。
【課題を解決するための手段】
【０００６】  かかる欠点を解消するため本考案者は鋭意改良を重ね、パンタグラフに変わる衝撃吸収装置として鋼管或は樹脂を躯体とする油圧・空気圧・バネ圧及びゴム弾性体又はその複合体から成る衝撃吸収機構Ｃを備えた衝撃吸収装置Ｂを有する画期的な方法により、問題を解決すると共に実用上優れた性能を発揮する衝撃吸収装置付きテレスコピックカバーＡを開発した。その内容について以下、図面に沿って説明する。
【実施例】
【０００７】  請求項１に記載の衝撃吸収装置付きテレスコピックカバーＡの組付図を図１に示す。図２及び図４に本考案の主体となす衝撃吸収装置Ｂの平面図を示す。【０００８】  請求項１に記載のテレスコピックカバー図１及び図２に於いて、互いにはめ込まれた複数のボックスから成るテレスコピックカバーの連動時に発生する衝撃を緩和する目的で各ボックス間に鋼管或は樹脂を躯体とする油圧・空気圧・バネ圧及びゴム弾性体又はその複合体ら成る衝撃吸収機構Ｃを備えた衝撃吸収装置Ｂ（実施例では、鋼管を用いて圧縮バネを使用した）を有する衝撃吸収装置付きテレスコピックカバーＡ。【０００９】  次に、請求項１の組立方法について図２により説明する。各ボックスに設けられたプレートＰの衝撃吸収装置取付板Ｂ２に衝撃吸収装置Ｂの衝撃吸収装置両端取付部Ｂ１をボルト・リベット或はピン等を用いて係止する。この時、各ボックスに設けられた衝撃吸収装置取付板Ｂ２に係止する際、一方は、右側。一方は左側となる様、対角に設置する。【００１０】  次に、請求項２に示す衝撃吸収装置を図４により説明する。衝撃吸収装置Ｂの中心に設けられた係止点Ｂ３の対面に油圧・空気圧・バネ圧及びゴム弾性体又はその複合体から成る衝撃吸収機構Ｃを備えた衝撃吸収装置Ｂ。
【考案の効果】
【００１１】  本考案により、伸縮時に於ける衝突音の解消は勿論、故障時のメンテナンスも考慮したシンプルなテレスコピックカバーの製作に成功した。特に係止点Ｂ３を設けた事により、衝撃吸収装置単独で発生していた傾き及び不均一な挙動を防止する効果があり、各ボックスの直進性の向上に寄与する事が出来た。又、伸張時に於ける衝突音についても衝撃吸収機構Ｃの効果により解消する結果となり、社内の作動試験に於いても優れた結果となった。
【図面の簡単な説明】
【図１】  衝撃吸収装置付きテレスコピックカバー斜視図
【図２】  衝撃吸収装置付きテレスコピックカバー平面図
【図３】  従来のテレスコピックカバー構造図
【図４】  衝撃吸収装置
【符号の説明】
Ａ    テレスコピックカバー
Ａ１  従来のテレスコピックカバー
Ｂ    衝撃吸収装置
Ｂ１  衝撃吸収装置両端取付部
Ｂ２  衝撃吸収装置取付板
Ｂ３  係止点
Ｃ    衝撃吸収機構
Ｐ    プレート
Ｗ    ワイパー
【図１】
0003140414.tif 000003
【図２】
0003140414.tif 000004
【図３】
0003140414.tif 000005
【図４】
0003140414.tif 000006
(57)【要約】      （修正有）【課題】楽器のライブ演奏で、自分の楽器の音が聞こえずらい問題を解消する。【解決手段】（１）板状の物である。（２）板のいずれの方向の寸法も、管楽器７の場合はベルの直径以上、その他の楽器は、１０センチメートル以上である。（３）中心にマイクロフォンへッド部６の直径以上の穴２を配置する。（４）マイクに装着したとき、マイクの上下左右部に、音響反射部１が位置する。上記の構成を備えた音響反射板をマイクロフォンに装着することにより、音響設備のモニターを使うことなく直接自分の音が聞こえて、演奏に集中でき、より豊かな表現で演奏が出来る。【選択図】図３
0003140412.tif 000002
【実用新案登録請求の範囲】
【請求項１】
以下の構成を備えた音響反射板
（１）板状の物である。
（２）板のいずれの方向の寸法も、管楽器の場合はベルの直径以上、その他の楽器は１０センチメートル以上である。
（３）中心にマイクロフォンヘッド部の直径以上の穴を配置する。
（４）マイクに装着したとき、マイクの上下左右部に、音響反射部が位置する。
【請求項２】
前記穴には、マイクロフォンのネックをつかむ溝を設けた、請求項１に記載の音響反射板。
【請求項３】
前記板は、無色透明素材を使用した、請求項１に記載の音響反射板。
【考案の詳細な説明】
【技術分野】
【０００１】  本考案は、楽器演奏に関して、モニターするための音響反射板に関するものである。
【背景技術】
【０００２】  楽器のライヴ演奏のモニターリングは、音響機械や、フロアスピーカーなどを介して、演奏者に自分の音が聞こえるようにするものとして、実用上十分であった。
【特許文献】特許公開２００７−３４０５７号  広報
【考案の開示】
【考案が解決しようとする課題】
【０００３】  しかし従来のモニターシステムでは、ステージの場所や、多くの音響設備が必要であり、マイクのセッティングなどに時間がかかる上、本来の音を聞くことが難しく、ハウリングをおさえる専門知識が必要であることを課題とするとともに、他の楽器に演奏者の音が，かき消され、演奏者が自分の音が聞き辛く、音程のコントロールが難しいうえ、必要以上に、強く演奏をしてしまい、よい演奏が出来ないことを課題とする。
【課題を解決するための手段】
【０００４】  この課題を解決するための請求項１の考案は、以下の構成を備えた音響反射板
（１）板状の物である。
（２）板のいずれの方向の寸法も、管楽器の場合はベルの直径以上、その他の楽器は１０センチメートル以上である。
（３）中心にマイクロフォンヘッド部の直径以上の穴を配置する。
（４）マイクに装着したとき、マイクの上下左右に、音響反射部が位置する。【０００５】  請求項２の考案は、中心にマイクロフォンのネックをつかむ溝を設けた、請求項１に記載の音響反射板。【０００６】  請求項３の考案は、無色透明素材を使用した、請求項１に記載の音響反射板。
【考案の効果】
【０００７】  本考案により、狭いステージや、最小の音響設備でも自分の楽器の音がモニター出来ると同時に、後ろの演奏者にも音が聞こえ、楽器の本来の演奏が可能となる。
【考案を実施するための最良の形態】
【０００８】  図１音響反射板の正面図である。
１は、音響反射板である。
２は、マイクヘッド直径より大きな穴である。
３は、マイクネックの直径サイズの溝である。
この例では、音響反射板１の前面が、音響反射部になる。音響反射板１にはこの他に装飾のための部分のように音響を反射しない部分があってもよい。
外枠の形は円でなくてもよい。中心にマイクヘッド部直径より大きな穴２があいてあり、さらにマイクネック直径のサイズの溝３を設ける。この溝３により、音響反射板１がマイクから外れない効果がある。溝３は１個でも複数でもよい。マイクのネック後の種類に応じてさまざまな寸法や形状にしておくとよい。【０００９】  図２音響反射板のＡ−Ａ断面図である。【００１０】  図３は本考案の音響反射板の使用状態のしゃし図である。
４は、マイクスタンドの一部である。
５は、マイクネックである。
６は、マイクヘッドである。
７は、サキソフォン本体である。
８は、サキソフォンベル部である。
９は、マイクロフォンケーブルである。
音響反射板１は、図３のようにマイクヘッド６を穴に通した状態で使用する。溝３はマイクのネック後をつかむようにして音響反射板１を固定する。溝３を設けることにより、振動などで音響反射板１が落下するのを防止する。溝３がマイクネック後をゆるくつかむようにすると、マイクの角度に関係なく音響反射板１の音響反射部が重力でほぼ垂直に向く。この面が楽器の音を演奏者の方向に反射するのに最適な角度になる。音響反射板の素材は、板状のものであればよい。請求項３の無色透明の素材を使うことにより、客席から目立たなくすることが出来る。
以上の説明はサックスについて行った。しかしトランペット、トロンボーン、クラリネット、フルート、ハーモニカ、ヴァイオリン、ギター、ベース、太鼓についても同様の効果がある。この音響反射板の形状は丸でも四角でも三角でもかまわない。しかしいずれの方向の寸法も管楽器の場合は管楽器のベルの直径以上、その他の楽器は１０センチメートル以上であることが好ましい。楽器の発する音を効果的に反射するためには楽器の種類に応じたサイズの音響反射板を選択するとよい。
【産業上の利用可能性】
【００１１】  本考案に係る音響反射板は、工業的に量産する事が可能であるため、産業上の利用可能性を有する。
【図面の簡単な説明】
【００１２】
【図１】  音響反射板  正面図
【図２】  音響反射  断面図
【図３】  音響反射板の使用状態のしゃし図である  音響反射板１は、図３のようにマイクヘッド６を穴に通した状態で使用する。溝３はマイクのネック後をつかむようにして音響反射板１を固定する。溝３を設けることにより、振動などで音響反射板１が落下するのを防止する。溝３がマイクネック後をゆるくつかむようにすると、マイクの角度に関係なく音響反射板１の音響反射部が重力でほぼ垂直に向く。この面が楽器の音を演奏者の方向に反射するのに最適な角度になる。音響反射板の素材は、板状のものであればよい。請求項３の無色透明の素材を使うことにより、客席から目立たなくすることが出来る。
【符号の説明】
【００１３】１    音響反射板
２    マイクヘッド直径より大きな穴
３    マイクネックの直径サイズの溝
４    マイクスタンドの一部
５    マイクネック
６    マイクヘッド部
７    サキソフォン本体
８    サキソフォンベル部分
９    マイクロフォンケーブル
【図１】
0003140412.tif 000003
【図２】
0003140412.tif 000004
【図３】
0003140412.tif 000005
(57)【要約】      （修正有）【課題】チョーク粉末によりクリーナーの吸込み口が塞がれ、クリーナーの吸引力が低下しないよう、該吸込み口をチョーク粉末が付着積層し難い構造とする。【解決手段】クリーナーの吸込み口２を逆テーパーの形状とする事により、該吸い込み口の内側壁面にチョーク粉末４が付着しないようにし、常に強力な吸引力を維持しクリーナーが動作する事を実現をした。【選択図】図１
0003140426.tif 000002
【実用新案登録請求の範囲】
【請求項１】
ケースと、吸込み口を有する蓋と、集塵フィルターと、電動ファンとからなり、前記ケースの内部に前記電動ファンを設置し、さらに前記ケースの一端側に排気口を設ける事により前記電動ファンのファン回転により発生する吸込み力を利用して、前記吸込み口より黒板拭きのチョーク粉末を吸込み、該チョーク粉末を前記集塵フィルターに集める電動式黒板拭きクリーナーにおいて、前記吸込み口の内側壁面に該チョーク粉末が付着し積層する事を防止するために、前記吸込み口の形状を逆テーパーとした事を特徴とする電動式黒板拭きクリーナー。
【考案の詳細な説明】
【技術分野】
【０００１】
本考案は、電動式黒板拭きクリーナーに関するものである。
【背景技術】
【０００２】
従来より電動ファンを利用した電動式黒板拭きクリーナーは有るが、チョーク粉末の吸込み口の構造は一様に直円錐であり、チョーク粉末を吸引していると、吸込み口の内側壁面に前記チョーク粉末が付着し積層していくため、前記吸込み口の穴が徐々に塞がる状態となり、クリーナーの吸引力が低下するという問題点があった。
【０００３】
また、前記付着積層したチョーク粉末は、ある程度積層が成長すると脱落するため、その時点でクリーナーの吸引力は戻るものの、チョーク粉末の付着積層から脱落というサイクルが繰り返されるため、クリーナーの吸引力が安定しないという欠点があった。
【考案の開示】
【考案が解決しようとする課題】
【０００４】
解決しようとする問題点は、クリーナーの吸込み口の内側壁面にチョーク粉末が付着積層し、クリーナーの吸込み口の穴が徐々に塞がる状態となり、クリーナーの吸引力が低下する点である。
【課題を解決するための手段】
【０００５】
本考案は、クリーナーの吸込み口の形状を逆テーパーとする事により、チョーク粉末が吸込み口の内側壁面に付着しないようにし、クリーナーの吸引力低下が無いようにした事を主要な特徴とする。
【考案の効果】
【０００６】
クリーナーの吸引力が低下しないため、吸引時間に無駄が無く、省エネ効果につながった。
【考案を実施するための最良の形態】
【０００７】
吸込み口の形状を逆テーパーとするだけで良く蓋の変更のみで済み、ケースと、集塵フィルターと、電動ファンを変更する事無く実現できた。
【実施例１】
【０００８】
図１は、本考案の実施例を断面図で示したものであり、１は吸込み口上部、２は吸込み口、３は吸込み口下部、４はチョーク粉末である。
【０００９】
吸込み口上部１から吸い込まれたチョーク粉末４は、円錐状の吸い込み口２を通過して吸込み口下部３から吐き出されて、その先にある集塵フィルターに集められるが、該吸込み口２の形状を逆テーパーとする事により、該吸込み口２の内側壁面へのチョーク粉末付着を防ぐ事ができ、該吸込み口２の穴がチョーク粉末の積層により塞がれる事が無く、クリーナーは、常に強力な吸引力を維持し動作する事ができる。
【００１０】
実施例では、吸込み口２を樹脂成型する事を考え逆テーパーの形状としたが、該吸込み口２をチョーク粉末が付着し難い材質と構造、例えば金属やガラス等による鏡面仕上げ等とする事により、必ずしも吸込み口２の形状を逆テーパーとする必要性は無い。
【図面の簡単な説明】
【００１１】
【図１】電動式黒板拭きクリーナーの吸込み口の実施方法を示した断面図である。（実施例１）
【符号の説明】
【００１２】
１    吸込み口上部
２    吸込み口
３    吸込み口下部
４    チョーク粉末
【図１】
0003140426.tif 000003
(57)【要約】【課題】従来の物はフレーム及び棚が固定の為大スペースの物を整理収納する時も小スペースの物を整理収納する時も同じ大スペースが必要である。【解決手段】フレームを上下に分割及び棚を左右に分割してパイプのスライド部品によりフレームを上下に伸縮し棚を左右に伸縮することを可能にした。【選択図】  図５
0003140424.tif 000002
【実用新案登録請求の範囲】
【請求項１】
フレーム及び棚を2分割しパイプストッパー使用によりフレームは上下伸縮型、棚は左右伸縮型とし多目的に整理収納が可能なラック。
【考案の詳細な説明】
【技術分野】
【０００１】
本考案は収納の分野でパイプのフレームと鉄板の棚を使用してテレビ台上の空間、ピアノ上の空間、ベッドの足元上の空間等を利用して日用品や小物類を整理収納するラックに関するものである。
【背景技術】
【０００２】
従来からパイプのフレームと鉄板の棚を使用して日用品や小物類を整理収納するラックがあった。
【考案の開示】
【考案が解決しようとする課題】
【０００３】
従来の物は日用品や小物類を整理収納する時にフレーム及び棚が固定の為大スペースの物を整理収納する時も小スペースのものを整理収納する時も同じスペースが必要である。
【課題を解決するための手段】
【０００４】
従来の物はフレーム及び棚が固定の為大スペースの物を整理収納する時も小スペースの物を整理収納する時も同じスペースが必要である。
本考案はパイプのスライド部品によりフレームを上下に棚を左右にスライド伸縮する事により小スペースでの整理収納にも大スペースでの整理収納にも対応が可能になる。
本考案はこれ等の問題点を解決する為に考案された物である。
【考案の効果】
【０００５】
通常小スペースで日用品や小物類を整理収納しているラックをテレビ台上の空間やピアノ上の空間及びベッドの足元上の空間等を利用して日用品や小物類を整理収納する時にはフレームをスライド部品により縦方向に伸ばし、棚を外側に伸ばす事により大スペースの整理収納に対応できる。
【考案を実施するための最良の形態】
【０００６】
（図１）正面図
（図2）左側面図
（図３）右側面図
（図４）部品図
（図５）従来の物の図及び今回考案の物の図
(図1〜４の符号)
１  上部フレーム
１−２  棚受け
１−３  パイプストッパー
２  下部フレーム
２−１  キャスター
３  伸縮パイプ
４  伸縮棚
図中、左右の符号１及び２で３及び４を接続している。
図中の符号１−３で１及び２の上下を伸縮し３及び４を左右に伸縮できる。
本考案は以上に述べた実施例に限定される物ではない。
【図面の簡単な説明】
【０００７】
【図１】正面図
【図２】左側面図
【図３】右側面図
【図４】部品図
【図５】従来の物の図及び今回考案の物の図
【符号の説明】
【０００８】
１  上部フレーム
１−２  棚受け
１−３  パイプストッパー
２  下部フレーム
２−１  キャスター
３  伸縮パイプ
４  伸縮棚
【図１】
0003140424.tif 000003
【図２】
0003140424.tif 000004
【図３】
0003140424.tif 000005
【図４】
0003140424.tif 000006
【図５】
0003140424.tif 000007
(57)【要約】      （修正有）【課題】開封後、上端が好ましく開口するようにした扁平袋を提供する。【解決手段】袋前面部１と袋後面部とを重ね合わせてなる扁平袋において、  開封時に切断する切断位置１３の直下に開口維持リング１５を備えさせた扁平袋。開口維持リング１５は、開封時に切断位置１３にて切断した切断縁を開口状態に維持するためのものである。開口維持リング１５は、袋前面部１及び袋後面部の外面又は内面に固定してもよいが、合成樹脂により袋前面部１及び袋後面部と一体的に形成してもよい。【選択図】図１
0003140484.tif 000002
【実用新案登録請求の範囲】
【請求項１】
袋前面部と袋後面部とを重ね合わせてなる扁平袋において、
開封時に切断する切断位置の直下に開口維持リングを備えさせたことを特徴とする扁平袋。
【考案の詳細な説明】
【技術分野】
【０００１】
本考案は、包装容器としての扁平袋に関するものであり、例えば液状食品その他のものを充填し密封するようにした扁平状の扁平袋に係るものである。
【背景技術】
【０００２】
扁平袋としては、例えば実開昭６４−５５２５２号公報に示すように、袋前面部を形成する袋前面部用フィルムと袋後面部を形成する袋後面部用フィルムとを重ね合わせてなるものが従来より知られている。
【特許文献１】実開昭６４−５５２５２号公報
【考案の開示】
【考案が解決しようとする課題】
【０００３】
上記従来の扁平袋は、包装容器としては好ましいものである。しかるに、上記従来の扁平袋は、開封し、内容物を取り出した後も開口部を含む袋全体が扁平状をなす。開口部を含む袋全体が扁平状をなしている扁平袋は、飲食物を注入する作業も困難であり、該扁平袋から飲食する際も不便である。したがって、上記従来の扁平袋は、内容物を取り出して空になった状態でも、飲食用の容器としては使用し難いものであり、空になった扁平袋は廃棄されるのが常である。
【０００４】
一方、地震、火山噴火、洪水等の発生による非常時においては、しばしば飲食用の容器が不足する。
【０００５】
以上の如き状況に鑑み、本考案は、開封後、上端が好ましく開口するようにした扁平袋を提供しようとしてなされたものである。
【課題を解決するための手段】
【０００６】
上記課題を解決するために、本考案は下記の如き扁平袋を提供する。
【０００７】
袋前面部と袋後面部とを重ね合わせてなる扁平袋において、
開封時に切断する切断位置の直下に開口維持リングを備えさせたことを特徴とする扁平袋（請求項１）。
【考案の効果】
【０００８】
扁平袋の開封時に上端付近の切断位置を切断したときには、切断縁の直下にある開口維持リングにより切断縁を開口状態に維持することができる。図２参照。
【０００９】
すなわち、開封後、扁平袋は上端切断縁を開口した状態に保持されるため、該扁平袋に飲食物を注入する作業が容易なものとなり、該扁平袋を飲食用の容器として好ましく使用することができる。
【００１０】
したがって、本考案による扁平袋は、地震、火山噴火、洪水等の発生による非常時において、貴重な飲食用の容器として活用することができる。また、本考案による扁平袋は、登山、ハイキング等のアウトドアスポーツにおいても、飲食用の容器として活用することができる。
【考案を実施するための最良の形態】
【００１１】
本考案の扁平袋は、袋前面部１と袋後面部３とを重ね合わせてなる点においては、従来の扁平袋と共通している。
【００１２】
図示の事例における扁平袋は、袋前面部１を形成する袋前面部用フィルム１ａと袋後面部３を形成する袋後面部用フィルム３ａとを重ね合わせてなるものである。
【００１３】
すなわち、袋前面部用フィルム１ａと袋後面部用フィルム３ａとを重ね合わせ、一例として、上端近傍部５と下端近傍部７と側端近傍部９、１１とをそれぞれ溶着等によりシールする。
【００１４】
なお、袋前面部１と袋後面部３とを連続する一枚のフィルムにより形成しても差し支えない。例えば、一枚のフィルムを折り曲げて重ね合わせてもよい。また、一枚のフィルムを筒状に形成しても差し支えない。これらの扁平袋も袋前面部１と袋後面部３とを重ね合わせてなる本考案の扁平袋に他ならない。
【００１５】
しかして、本考案においては、開封時に切断する切断位置１３の直下に開口維持リング１５を備えさせる。
【００１６】
扁平袋は、開封時に切断する切断位置１３を上端付近に備えている。すなわち、この切断位置１３にて扁平袋を切断し又は引き裂くことにより、上端を開口させることができる。符号１７に示すものは、切断位置１３における切断又は引き裂きを容易ならしめるために形成された切り欠きである。
【００１７】
扁平袋における切断位置１３の直下に開口維持リング１５を備えさせる。
【００１８】
開口維持リング１５は、開封時に切断位置１３にて切断した切断縁１３’を開口状態に維持するためのものである。
【００１９】
開口維持リング１５は、開封時に弾性により切断縁１３’を開口させるようにしたものであってもよいが、扁平袋の使用者が手で開口維持リング１５を開いて切断縁１３’を開口させるようにしたものであってもよい。
【００２０】
開口維持リング１５は、例えば合成樹脂又は金属により形成する。
【００２１】
開口維持リング１５は、袋前面部１及び袋後面部３の外面又は内面に固定してもよいが、図４に示すように、合成樹脂により袋前面部１及び袋後面部３と一体的に形成してもよい。
【００２２】
図３に示す事例においては、開口維持リング１５を袋前面部１及び袋後面部３の外面に粘着テープ等の固定手段１９により固定している。
【図面の簡単な説明】
【００２３】
【図１】開封前の扁平袋を示す斜視図である。
【図２】開封後の扁平袋を示す斜視図である。
【図３】開口維持リングの一例を示す断面図である。
【図４】開口維持リングの別の一例を示す断面図である。
【符号の説明】
【００２４】
１  袋前面部
１ａ  袋前面部用フィルム１ａ
３  袋後面部
３ａ  袋後面部用フィルム
５  上端近傍部
７  下端近傍部
９  側端近傍部
１１  側端近傍部
１３  切断位置
１３’  切断縁
１５  開口維持リング
１７  切り欠き
１９  固定手段
【図１】
0003140484.tif 000003
【図２】
0003140484.tif 000004
【図３】
0003140484.tif 000005
【図４】
0003140484.tif 000006
(57)【要約】【課題】  軟性板のアンテナの提供。【解決手段】  軟性板のアンテナは、軟性板と導電回路とからなる。その特徴は、軟性板は、プラスチック可塑性の薄板で、導電回路は、導電性の金属を導電回路表面に分布し、導電回路の一端が電極接点で、もう一端は信号受信発射端である。上述の軟性板と軟性回路の特殊な結合構造により、各種電子製品によって、湾曲してハウジング内に装着され、快速に装着、操作ができる効果を達成する。軟性板の板面は、両面粘着膜を設置し、完全に貼合固定する便利性を提供する。【選択図】    図２
0003140491.tif 000002
【実用新案登録請求の範囲】
【請求項１】
軟性板のアンテナであって、軟性板と導電回路とからなり、その特徴は、前記軟性板は、プラスチック可塑性の薄板で、前記導電回路は、導電性の金属を導電回路表面に分布し、前記導電回路の一端が電極接点で、もう一端は信号受信発射端であることを特徴とする軟性板のアンテナ。
【請求項２】
前記軟性板の板面は、両面粘着膜を設置することを特徴とする請求項１に記載の軟性板のアンテナ。
【考案の詳細な説明】
【技術分野】
【０００１】
本考案はアンテナに関するものであって、特に、軟性板のアンテナに関するものである。
【背景技術】
【０００２】
電子産業の急速な発展に伴い、電子素子も微小化し、製品は日増しに極小巧妙化している。電子信号の伝送構造は幅広く、携帯電話、カメラ等に運用されているが、早期の技術は、多くが、伸縮式アンテナを採用して長距離伝送するもので、その体積が大きく、大きい空間を占有する。その後、新技術は、赤外線のピアトウーピア直線技術により代替され、これにより、この構造は、地形の制限を受けて、次第になくなった。後期は、ブルートゥース技術により無障害伝送を導入し、電子製品の体積を縮小しているが、このブルートゥース技術は伝送距離が短いという欠点がある。硬式回路板のアンテナを直接装着し、伝送距離を増加しているものがあるが、硬式の構造もやはり大きい空間を占有するので、改善の必要がある。
【考案の開示】
【考案が解決しようとする課題】
【０００３】
本考案の目的は、各種電子製品の信号伝送を便利にし、各種電子製品によって、ねじれ変形してハウジング内に装着し、完全に固定される軟性板のアンテナを提供することにある。
【課題を解決するための手段】
【０００４】
本考案の軟性板のアンテナは、軟性板と導電回路とからなる。その特徴は、軟性板は、プラスチック可塑性の薄板で、導電回路は、導電性の金属を導電回路表面に分布し、導電回路の一端が電極接点で、もう一端は信号受信発射端である。上述の軟性板と軟性回路の特殊な結合構造により、各種電子製品によって、湾曲してハウジング内に装着され、快速に装着、操作ができる効果を達成する。
【０００５】
軟性板はその板面に両面粘着膜を設置し、完全に貼合固定する便利性を提供する。
【考案の効果】
【０００６】
本考案により、各種電子製品の信号伝送効果が便利で、各種電子製品によって、ねじれ変形によりハウジング内に装着されて、完全に固定される。
【考案を実施するための最良の形態】
【０００７】
図１〜図４で示されるように、本考案は、軟性板のアンテナを提供し、プラスチック可塑性の薄板である軟性板１、導電性金属を表面に分布した導電回路２、からなる。導電回路の一端は電極接点２１、２２で、もう一端は信号受信発射端２３、２５である。
【０００８】
本考案の実施例による軟性板１と軟性回路２の特殊な結合構造により、各種形式の電子製品ハウジングに貼附装着され、板面は、両面粘着膜３を設置し、ハウジングを完全に固定する効果を有し、電極接点２１、２２は電子製品の信号端を連接して、快速に装着、操作できる。
【図面の簡単な説明】
【０００９】
【図１】本考案の好ましい実施例を示す図である。
【図２】本考案の分解構造立体図である。
【図３】本考案の両面粘着膜をハウジングに貼附した図である。
【図４】本考案の軟性板の任意に湾曲貼附することができる状態図である。
【符号の説明】
【００１０】
１…軟性板
２…導電回路
３…両面粘着膜
２１、２２…電極接点
２３、２５…信号受信発射端
【図１】
0003140491.tif 000003
【図２】
0003140491.tif 000004
【図３】
0003140491.tif 000005
【図４】
0003140491.tif 000006
(57)【要約】      （修正有）【課題】テレビカメラ等のカメラレンズの手前に立体画像作成用特殊プリズムレンズ製カメラレンズフィルターを配置することで立体視用の立体画像を作成することができる。【解決手段】テレビカメラ等のカメラに使用するレンズフィルターのフィルター部を光分散型三角プリズムレンズの光を分散する側の両面または片面を飛行機の翼のような曲率が同心円の均一でゆるやかな凸型板状曲面に加工した特殊プリズムレンズに形成することにより立体視のための立体画像を作り出すのに役立つ。【選択図】図１
0003140746.tif 000002
【実用新案登録請求の範囲】
【請求項１】
ガラスやプラスチック等の透明な材料を用いて、光分散型三角プリズムレンズの、光を分散する側の両面または片面を飛行機の翼のような曲率が同心円の均一でゆるやかな凸型板状曲面に加工した特殊プリズムレンズで作られたテレビカメラ等のカメラのためのレンズフィルターで、そのテレビカメラ等のカメラのレンズと同等の大きさのこの特殊プリズムレンズ製カメラレンズフィルターを、そのテレビカメラ等のレンズの手前にレンズと平行に横向きに配置することで立体視のための立体画像を作成することができる立体画像作成用特殊プリズムレンズ製カメラレンズフィルター
【考案の詳細な説明】
【技術分野】
【０００１】本考案は、テレビカメラ等のカメラに使用することで立体視用の立体画像を作り出すことを可能にするカメラレンズフィルターに関するものである。
【背景技術】
【０００２】立体視の多くは、対象物に対して左右の目がそれぞれ別の角度によってその物体を見ることによる映像のズレである視差が生じるために成立する。しかし平面である写真やテレビ映像に立体物を写し出しても、視差が生じないために平面としか認識されない。従来は人の目と同様、２台のカメラで別々の角度から撮影した映像を合成した上で、赤青眼鏡、偏光眼鏡などによって視差を生じさせて立体を作り上げていた。
【考案の開示】
【考案が解決しようとする課題】
【０００３】従来の方法には次のような欠点があった。
従来の方法の多くは立体視のための画像を作成するために２台のカメラで別々の角度から撮影した映像を合成していた。
【課題を解決するための手段】
【０００４】本考案はガラスやプラスチック等の透明な材料を用いて、光分散型三角プリズムレンズの光を分散する側の両面または片面を飛行機の翼のような曲率が同心円の均一でゆるやかな凸型板状曲面に加工した特殊プリズムレンズで作られたテレビカメラ等のカメラレンズのためのフィルターで、そのテレビカメラ等のカメラのレンズと同等の大きさのこの特殊プリズムレンズ製カメラレンズフィルターを、そのテレビカメラ等のレンズの手前にレンズと平行に横向きに配置することで、１台のカメラのみで立体視のための立体画像を作成することを可能にするものである。このカメラレンズフィルターは光を分散する側の両面または片面をそれぞれ曲率が同心円の均一でゆるやかな凸型板状曲面に加工された特殊なプリズムレンズの形状をしており、被写体の映像をプリズムレンズで分光するだけではなくこの凸型板状曲面が更に光を左右に分散させるので分光率が向上する。これによりそのカメラレンズフィルターを使って撮った画像を受信したテレビ画像等を見る人物の目に視差が生じ、立体視が実現されるという仕組みになっている。
【考案の効果】
【０００５】この特殊プリズムレンズ製カメラレンズフィルターは表面が滑らかな板状の同率曲面になっているので、その独特な形状により立体化した映像が非常に滑らかであることと、このカメラレンズフィルターで撮った映像は視線の位置を変えても立体視できるというのが最大の特徴で、立体視用眼鏡をかけなくても複数の人が同時にテレビ画像等を見ても全員が立体映像を見ることができる。更にこのカメラレンズフィルターを使用して撮影した映像は３Ｄの映像として見ることができるのでＣＧアニメ撮影や映画撮影などに広く利用できる。
【考案を実施するための最良の形態】
【０００６】立体視のための立体画像作成用特殊プリズムレンズ製カメラレンズフィルターを、テレビカメラ等のカメラレンズの手前に、そのカメラレンズと凸型板状曲面に加工したプリズムレンズ面が平行になるように配置する。また視差を左右に生じさせる必要があるので特殊プリズムレンズは横向きに配置する必要がある。本考案は従来からある通常の平面画像撮影用のカメラに利用できるので従来からある着脱式のカメラレンズフィルターの形態を採ることが望ましい。
【図面の簡単な説明】
【０００７】
【図１】本考案のプリズムの両面を凸型板状曲面に加工した立体画像作成用特殊プリズムレンズ製カメラレンズフィルターの使用状況を表す説明図である。
【図２】本カメラレンズフィルターの斜視図である。
【図３】本カメラレンズフィルター中央部の横断面図である。
【符号の説明】
【０００８】１  特殊プリズムレンズ製カメラレンズフィルター
２  凸型板状曲面加工部
３  テレビカメラ
４  被写体
【図１】
0003140746.tif 000003
【図２】
0003140746.tif 000004
【図３】
0003140746.tif 000005
(57)【要約】【課題】棒状管の一端に硬質性半円形の捕球具を付設し捕球放球抱持する事を目的とした、パークゴルフボールの捕球具。【解決手段】棒状管３の一端に球体１を抱持できる硬質性半円形の捕球具２を固定し捕球具の中心部に球体をのせて手をつかわずそのまま放球することを特徴とするパークゴルフボールの捕球具。【選択図】図１
0003140745.tif 000002
【実用新案登録請求の範囲】
【請求項１】
棒状管の一端に球体を抱持し放球できる硬質金属又は硬質プラスチック材から成る半円形の捕球具を固定し捕球具の中心部に球体を乗せ抱持捕球放球を目的としたパークゴルフボールの捕球具、又グリツプの上端の装着用スライドリールを取り付けた。
【考案の詳細な説明】
【枝術分野】
【０００１】この考案はパークゴルフボールを硬質部材で半円形に形成された捕球具で捕球抱持放球することを目的とした捕球具にかんする。
【背景枝術】
【０００２】パークゴルフボールを捕球し放持するものは有るが手をつかわづに放球したものは未だ提案されていない。
【考案の開示】
【考案が解決しよとする課題】
【０００３】前途のようにパークゴルフボールを捕球抱持するものはあるが捕球具からの放球は手で行うものでありこの不便を手をつかわず解決しようとするものである。
【課題を解決するための手段】
【０００４】即ちこの考案は棒状の一端を適当な硬質材から成る半円形の捕球具を固定し捕球具の中心部に球体乗せテイ（球体を打つ台）の上に置き手をつかわずに放球出来るようにして課題を解決している。
【考案の効果】
【０００５】この考案は棒状管の先端に捕球具を固定したパークゴルフボールの捕球具であり考案の捕球具を使用することにより次に述べる事柄を解決及び軽減する。
（１）ホールインしたボールを拾球（捕球）の際腰を深く屈めることなく捕球することが出来るので腰の負担を軽減する。
（２）テーグランドでボールをテーアップするとき考案の捕球具にテーの上に放球するとき手をつかわずテーアップが出来る。
（３）捕球抱持した考案の捕球具を装着用スライドリールにて腰ベルト等に装着すると邪魔にならず他の作業が容易になる。
（４）グランドは天候に左右され露雨霜等で濡れ汚れている
従ってボールも同じく寒冷時の素手で捕球抱待は耐え難いものである又濡れ手でスコアー記入は判読不能となることもある、以上の事柄をプレーを通じて考案の捕球具を使用するとボールに手を触れないため濡れ手及び冷感等を解決するものである。
【考案を実施するための最良の形態】
【０００６】棒状管の一端に球体を抱持出来る捕球具を付設し、球体を抱持捕球放球することを目的としたパークゴルフボールの捕球具である。
【実施例１】
【０００７】以下添付図面に従って説明する１は球体（パークゴルフボール）２は硬質性半円形に形成された捕球具である。【０００８】３は硬質プラスチック、金属等適宣素材を用いた棒状管であり管の一端に図のごとく２の捕球具を固定する、４は棒状管の上部に取り付けたスライドリール、５はグリップ。
【図面の簡単な説明】
【０００９】
【図１】本考案のパークゴルフボール捕球具の実施例を示す正面断面図
【図２】側面図
【符号の説明】
【００１０】１  球体（パークゴルフボール）
２  半円形捕球具
３  棒状管（パイプ）
４  装着用スライドリール
５  グリップ
【図１】
0003140745.tif 000003
【図２】
0003140745.tif 000004